(57)【要約】【課題】仮設足場の組立作業において、建物の軒の高さ以上の高さ位置に水平に配置される複数の水平材を一対の縦柱間に架け渡す際に、その作業労力を低減することができる軒上工法を提供する。【解決手段】建物50の軒51よりも上端が高く配置される一対の縦柱２、２間における、軒51の高さに略対応する高さ位置に、水平に架け渡される第１水平材10と、両縦柱２、２間における、第１水平材10よりも高い高さ位置に、水平に架け渡される第２水平材20と、第２水平材20の両端部にそれぞれ上端部が軸着された２つの斜材30と、を準備する。そして、軒51よりも低い高さ位置から斜材30を持って第２水平材20が両縦柱２、２間の所定高さ位置に架け渡されるように斜材30を操作した後、第１水平材10を両縦柱２、２間の所定高さ位置に架け渡す。【選択図】図５
2011099234.tif 000002
【特許請求の範囲】
【請求項１】
建物の軒よりも上端が高く配置される一対の縦柱間における、前記軒の高さに略対応する高さ位置に、水平に架け渡される第１水平材と、
前記両縦柱間における、前記第１水平材よりも高い高さ位置に、水平に架け渡される第２水平材と、
前記第２水平材の両端部にそれぞれ上端部が軸着された２つの斜材と、を準備し、
前記軒よりも低い高さ位置から前記斜材を持って前記第２水平材が前記両縦柱間の所定高さ位置に架け渡されるように前記斜材を操作し、その後、第１水平材を前記両縦柱間の所定高さ位置に架け渡すことにより、前記建物の屋根からの転落防止設備を構築することを特徴とする軒上工法。
【発明の詳細な説明】
【技術分野】
【０００１】
本発明は、建物の建築工事現場や改修工事現場などにおいて仮設足場を組み立てる際に用いられる軒上工法に関する。
【背景技術】
【０００２】
建築工事中や改修工事中の建物の周囲近傍には、特開２００４−１８３３０７号公報（特許文献１）に示すように、仮設足場が組み立てられる。
【０００３】
従来の仮設足場１０１は、図６〜８に示すように、建物５０の軒５１よりも上端が高く配置されるように立設された複数の外縦柱１０２を備えている。さらに、これらの外縦柱１０２よりも建物５０側には、内縦柱１０３が立設されている。これらの内縦柱１０３の上端は、建物５０の軒５１よりも低く配置されている。
【０００４】
互いに隣り合う一対の外縦柱１０２、１０２間及び一対の内縦柱１０３、１０３間における、軒５１よりも低い高さ位置には、踏板１４０が水平に架け渡されている。さらに、両外縦柱１０２、１０２間における、軒５１の高さ以上の高さ位置に、作業者６０が建物５０の屋根５２から転落するの防止するため、転落防止設備１０５が構築されている。この転落防止設備１０５の構成について説明すると、次のとおりである。
【０００５】
両外縦柱１０２、１０２間における、軒５１の高さに略対応する高さ位置に、「転び止め」と称される第１水平材１１０が水平に架け渡され、更に、両外縦柱１０２、１０２間における第１水平材１１０よりも約９００ｍｍ上方の高さ位置に、「手摺り」と称される第２水平材１２０が水平に架け渡されている。さらに、両外縦柱１０２、１０２間における第１水平材１１０と第２水平材１２０との間の中間高さ位置に、「中桟」と称される第３水平材１３０が水平に架け渡されている。なお、１０４は、各外縦柱１０２及び各内縦柱１０３に、所定所定高さ間隔毎に固着された被係止具である。この被係止具１０４には、各水平材１１０、１２０、１３０や踏板１４０等の架設部材を架け渡す際に、架設部材の両端部に設けられた係止具が係止される。
【０００６】
従来の転落防止設備１０５における各水平材（１１０、１２０、１３０）の架け渡し作業の順番は次のとおりである。
【０００７】
図８（ａ）に示すように、まず、建物５０の軒５１よりも低い高さ位置に予め配置された踏板１４０上に作業者６０が立ち、該踏板１４０の少し上方であって軒５１よりも低い高さ位置に水平に配置された手摺り１４１に命綱を掛ける。そしてこの状態で、作業者６０が第１水平材１１０の架け渡し作業を行う。
【０００８】
第１水平材１１０の架け渡し作業が終了したら、図８（ｂ）に示すように、作業者６０は第３水平材１３０を手に持ち、手摺り１４１から命綱６１を外してこれを第１水平材１１０に掛けるとともに、作業者６０が手摺り１４１上に立つ。そしてこの状態で、第３水平材１３０の架け渡し作業を行う。
【０００９】
第３水平材１３０の架け渡し作業が終了したら、第１水平材１１０から命綱６１を外すとともに、作業者６０が一旦、手摺り１４１上から踏板１４０上に降りて第２水平材１２０を手に持つ。そして、図８（ｃ）に示すように、作業者６０が再度、命綱６１を第１水平材１１０に掛けるとともに手摺り１４１上に立ち、この状態で、第２水平材１２０の架け渡し作業を行う。
【００１０】
あるいは図示していないが、手摺り１４１上に立った作業者６０に、踏板１４０上にいる別の作業者がこれら水平材（１１０、１２０、１３０）を１つずつ手渡しし、手摺り１４１上の作業者６０が順次、水平材を両外縦柱１０２、１０２間の所定の高さ位置に架け渡すことで、転落防止設備１０５を構築することも行われている。
【先行技術文献】
【特許文献】
【００１１】
【特許文献１】特開２００４−１８３３０７号公報
【発明の概要】
【発明が解決しようとする課題】
【００１２】
しかるに、このような第１〜第３水平材１１０、１２０、１３０の架け渡し作業によれば、この作業を一人の作業者が行う場合には、作業者６０は踏板１４０と手摺り１４１との間を昇ったり降りたりしなければならないし、更には命綱６１を掛けたり外したりしなければならないので、その作業は非常に面倒であった。一方、この作業を楽にするためには、複数の作業者で作業を行わなければならず、作業効率が悪かった。
【００１３】
本発明は、上述した技術背景に鑑みてなされたもので、その目的は、仮設足場の組立作業において、建物の軒の高さ以上の高さ位置に水平に配置される複数の水平材を一対の縦柱間に架け渡す際に、その作業労力を低減することができる軒上工法を提供することにある。
【課題を解決するための手段】
【００１４】
本発明は以下の手段を提供する。
【００１５】
建物の軒よりも上端が高く配置される一対の縦柱間における、前記軒の高さに略対応する高さ位置に、水平に架け渡される第１水平材と、
前記両縦柱間における、前記第１水平材よりも高い高さ位置に、水平に架け渡される第２水平材と、
前記第２水平材の両端部にそれぞれ上端部が軸着された２つの斜材と、を準備し、
前記軒よりも低い高さ位置から前記斜材を持って前記第２水平材が前記両縦柱間の所定高さ位置に架け渡されるように前記斜材を操作し、その後、第１水平材を前記両縦柱間の所定高さ位置に架け渡すことにより、前記建物の屋根からの転落防止設備を構築することを特徴とする軒上工法。
【発明の効果】
【００１６】
本発明は、建物の軒よりも低い高さ位置から斜材を持って第２水平材が両縦柱間の所定高さ位置に架け渡されるように斜材を操作し、その後、第１水平材を両縦柱間の所定高さ位置に架け渡すことにより、建物の屋根からの転落防止設備を構築するので、次の効果を奏する。すなわち、第１水平材を両縦柱間の所定高さ位置に架け渡す前に、建物の軒よりも低い高さ位置から斜材を持って第２水平材が両縦柱間の所定高さ位置に架け渡されるように斜材を操作するので、第２水平材の架け渡し作業の際に、作業者は必ずしも手摺り等に上ることを要しないし、命綱の掛け外し作業を必ずしも行うことを要しない。そのため、転落防止設備の構築作業の労力、特に転落防止設備の第２水平材の架け渡し作業の労力を低減することができるし、より安全に水平材の架け渡し作業を行うことができ、更には、一人の作業者で作業を行うことができるので、作業効率が非常に良い。
【図面の簡単な説明】
【００１７】
【図１】図１は、本発明の一実施形態に係る軒上工法により組み立てられた仮設足場を示す図であって、（ａ）はその正面図、（ｂ）はその側面図である。
【図２】図２は、同仮設足場の斜視図である。
【図３Ａ】図３Ａは、同仮設足場の第２水平材の一端部を外縦柱に連結する直前の状態の正面図である。
【図３Ｂ】図３Ｂは、同第２水平材の一端部を外縦柱に連結した状態の正面図である。
【図４Ａ】図４Ａは、同仮設足場の斜材の下端部を外縦柱に連結する直前の状態の正面図である。
【図４Ｂ】図４Ｂは、同斜材の下端部を外縦柱に連結した状態の正面図である。
【図５】同仮設足場の第１及び第２水平材を一対の外縦柱間に架け渡す手順を説明する図であって、（ａ）は第２水平材の架け渡し作業の途中の状態を示す概略平面図、（ｂ）は第１水平材の架け渡し作業の途中の状態を示す概略平面図である。
【図６】図６は、従来の軒上工法により組み立てられた仮設足場を示す図であって、（ａ）はその正面図、（ｂ）はその側面図である。
【図７】図７は、従来の仮設足場の斜視図である。
【図８】図８は、従来の仮設足場の第１〜第３水平材を一対の外縦柱間に架け渡す手順を説明する図であって、（ａ）は第１水平材の架け渡し作業の途中の状態を示す概略平面図、（ｂ）は第３水平材の架け渡し作業の途中の状態を示す概略平面図、（ｃ）は第２水平材の架け渡し作業の途中の状態を示す概略平面図である。
【発明を実施するための形態】
【００１８】
次に、本発明の一実施形態について図面を参照して以下に説明する。
【００１９】
図１において、１は仮設足場である。この仮設足場１は、建物５０（建築予定の建物を含む）の周囲近傍に組み立てられるものであり、互いに所定間隔をおいて立設された複数の金属製外縦柱２を備えている。これらの外縦柱２の上端は、建物５０の軒５１よりも高く配置されている（図１（ｂ）参照）。さらに、これらの外縦柱２よりも建物５０側には、複数の金属製内縦柱３が立設されている。これらの内縦柱３の上端は、建物５０の軒５１よりも低く配置されている。
【００２０】
この仮設足場１において、各外縦柱２及び各内縦柱３には、所定高さ間隔毎に、金属製被係止具４が固着されている。各被係止具４は、図２〜４Ｂに示すように、外縦柱２及び内縦柱３のそれぞれの外周面の外側部、内側部、左側部及び右側部に固着された４つの被係止部としての被係止凹部４ａ、４ａ、４ｂ、４ｂを有している。被係止凹部４ａ、４ｂは、平面視略コ字状に形成されている。被係止凹部４ａ、４ｂの開口方向は上下方向である。
【００２１】
図１に示すように、互いに隣り合う一対の外縦柱２、２及び一対の内縦柱３、３間における、建物５０の軒５１よりも低い高さ位置には、金属製踏板４０が水平に架け渡されている。
【００２２】
さらに、両外縦柱２、２間における、踏板４０よりも少し上方であって軒５１よりも低い高さ位置には、棒状の手摺り４１が水平に架け渡されている。この手摺り４１を、説明の便宜上、「踏板用手摺り４１」という。この踏板用手摺り４１は、金属製丸パイプ材からなる。
【００２３】
さらに、両外縦柱２、２間における踏板用手摺り４１と踏板４０との間には、２つの棒状の斜材４２、４２が互いに交差して架け渡されている。この斜材４２を、説明の便宜上、「踏板用斜材４２」という。この踏板用斜材４２は、金属製丸パイプ材からなる。
【００２４】
さらに、仮設足場１における軒５１の高さ以上の高さ位置には、作業者６０が建物５０の屋根５２から転落するのを防止する転落防止設備５が構築されている。この転落防止設備５の構成は次のとおりである。
【００２５】
両外縦柱２、２間における、建物５０の軒５１の高さに略対応する高さ位置には、棒状の第１水平材１０が水平に架け渡されている。この第１水平材１０は、一般に「転び止め」と称されるものであり、金属製丸パイプ材からなる。
【００２６】
さらに、両外縦柱２、２間における、第１水平材１０よりも高い高さ位置には、棒状の第２水平材２０が水平に架け渡されている。この第２水平材２０は、一般に「手摺り」と称されるものであり、金属製丸パイプ材からなり、第１水平材１０よりも約８００〜１０００ｍｍ高い高さ位置に配置されている。
【００２７】
さらに、両外縦柱２、２間における第１水平材１０と第２水平材２０との間には、２つの棒状の斜材３０、３０が互いに交差して架け渡されている。この斜材３０は金属製丸パイプ材からなる。
【００２８】
第１水平材１０の構成は次のとおりである。
【００２９】
図２に示すように、第１水平材１０の左右両端部には、それぞれ金属製係止具１１が固着されている。この係止具１１は、下方向に突出した係止部としての係止爪部１２を有している。そして、左右両係止具１１、１１の係止爪部１２、１２が、それぞれ対応する外縦柱２の所定高さ位置の外周面の内側部に設けられた被係止凹部４ａにその上方から抜出可能に差込み係止されている。これにより、第１水平材１０が両外縦柱２、２間の所定高さ位置に水平に架け渡されている。
【００３０】
第２水平材２０の構成は次のとおりである。
【００３１】
図３Ａ及び３Ｂに示すように、第２水平材２０の左右両端部には、それぞれ金属製係止具２１が固着されている。この係止具２１は、下方向に突出した係止部としての係止爪部２２を有している。さらに、第２水平材２０の右端部の係止具２１に、２つの斜材３０、３０のうち一方の斜材３０の上端部が連結ピン２３を介して回転自在に軸着されている。これと同様に、第２水平材２０の左端部の係止具２１に、他方の斜材３０の上端部が連結ピン２３を介して回転自在に軸着されている。そして、左右両係止具２１、２１の係止爪部２２、２２が、それぞれ対応する外縦柱２の所定高さ位置の外周面の右側部又は左側部に設けられた被係止凹部４ｂにその上方から抜出可能に差込み係止されている。これにより、第２水平材２０が両外縦柱２、２間の所定高さ位置に水平に架け渡されている。
【００３２】
斜材３０の構成は次のとおりである。
【００３３】
図４Ａ及び４Ｂに示すように、各斜材３０の下端部には、締結具３３を有する金属製係止具３１が連結ピン３２を介して回転自在に軸着されている。締結具３３は、下方に突出した連結片部３４と下方向に突出した係止部としての係止爪部３５とを有している。連結片部３４は、係止具３１に上下方向に若干移動できるように且つ脱落不能に取り付けられている。係止爪部３５は、被係止凹部４ｂに差し込み係止されるものである。そして、左右両係止具３１、３１の締結具３３、３３の係止爪部３５、３５が、それぞれ対応する外縦柱２の所定高さ位置の外周面の右側部又は左側部に設けられた被係止凹部４ｂにその上方から抜出可能に差込み係止されている。これにより、両斜材３０、３０が両外縦柱２、２間における第１水平材１０と第２水平材２０との間に互いに交差して架け渡されている。
【００３４】
次に、第１水平材１０、第２水平材２０及び斜材３０の架け渡し作業、即ち転落防止設備の構築作業を以下に説明する。
【００３５】
まず、上述した構成の第１水平材１０、第２水平材２０及び２つの斜材３０、３０を準備する。次いで、図５（ａ）に示すように、作業者６０が踏板４０上に立って踏板用手摺り４１に命綱６１を掛ける。
【００３６】
そして、作業者６０が２つの斜材３０、３０をそれぞれ手に持ち、これら斜材３０を操作することにより、第２水平材２０の両外縦柱２、２への架け渡し作業を行う。すなわち、図３Ａ及び３Ｂに示すように、第２水平材２０の一端部（例えば右端部）の係止具２１の係止爪部２２が当該係止爪部２２に対応する被係止凹部４ｂに差込み係止されるように、当該係止具２１に連結された斜材３０を操作する。こうして係止爪部２２が被係止凹部４ｂに差込み係止されることにより、第２水平材２０の一端部（例えば右端部）が対応する外縦柱２の所定高さ位置に連結される。次いで、第２水平材２０の他端部（例えば左端部）の係止具２１の係止爪部２２が当該係止爪部２２に対応する被係止凹部４ｂに差込み係止されるように、当該係止具２１に連結された斜材３０を操作する。こうして係止爪部２２が被係止凹部４ｂに差込み係止されることにより、第２水平材２０の他端部（例えば左端部）が対応する外縦柱２の所定高さ位置に連結される。その結果、第２水平材２０が両外縦柱２、２間の所定高さ位置に水平に架け渡される。
【００３７】
次いで、図４Ａ及び４Ｂに示すように、２つの斜材３０、３０のうち一方の斜材３０の下端部の係止具３１の締結具３３の係止爪部３５を、当該係止爪部３５に対応する被係止凹部４ｂにその上方から差込み係止することにより、係止具３１と被係止凹部４ｂとを締結具３３で締結し、これにより、当該斜材３０の下端部が対応する外縦柱２の所定高さ位置に連結される。次いで、他方の斜材３０の下端部の係止具３１の締結具３３の係止爪部３５を、当該係止爪部３５に対応する被係止凹部４ｂにその上方から差込み係止することにより、係止具３１と被係止凹部４ｂとを締結具３３で締結し、これにより、当該斜材３０の下端部が対応する外縦柱２の所定高さ位置に連結される。その結果、両斜材３０、３が互いに交差して両外縦柱２、２間に架け渡される。
【００３８】
次いで、図５（ｂ）に示すように、第１水平材１０の両外縦柱２、２への架け渡し作業を行う。すなわち、図５（ｂ）及び図２に示すように、第１水平材１０を手に持ち、第１水平材１０の一端部（例えば右端部）の係止具１１の係止爪部１２を、当該係止爪部１２に対応する被係止凹部４ａにその上方から差込み係止する。これにより、第１水平材１０の一端部が対応する外縦柱２の所定高さ位置に連結される。次いで、第１水平材１０の他端部（例えば左端部）の係止具１１の係止爪部１２を、当該係止爪部１２に対応する被係止凹部４ａにその上方から差込み係止する。これにより、第１水平材１０の他端部が対応する外縦柱２の所定高さ位置に連結される。その結果、第１水平材１０が両外縦柱２、２間の所定高さ位置に水平に掛け渡される。
【００３９】
以上の作業を順次行うことにより、転落防止設備５が仮設足場１における軒５１の高さ以上の高さ位置に構築される。
【００４０】
なお、第１水平材１０、第２水平材２０及び斜材３０、３０を両外縦柱２、２から取り外す場合には、上述した架け渡し作業を逆に行えば良い。
【００４１】
而して、本実施形態の軒上工法によれば、第１水平材１０を両外縦柱２、２間の所定高さ位置に架け渡す前に、建物５０の軒５１よりも低い高さ位置である踏板４０上から作業者６０が斜材３０を持って第２水平材２０が両外縦柱２、２間の所定高さ位置に架け渡されるように斜材３０を操作するので、第２水平材２０の架け渡し作業の際に、作業者６０は必ずしも手摺り４１等に上ることを要しないし、命綱６１の掛け外し作業を必ずしも行うことを要しない。そのため、転落防止設備５の構築作業の労力、特に転落防止設備５の第２水平材２０の架け渡し作業の労力を低減することができるし、より安全に水平材の架渡し作業を行うことができ、更には、一人の作業者６０で作業を行うことができるので、作業効率が非常に良い。
【００４２】
以上で本発明の一実施形態を説明したが、本発明は上記実施形態に示したものであることに限定されるものではなく、様々に変更可能である。
【００４３】
また本発明では、第１水平材１０の両外縦柱２、２への架け渡しは、次のように行っても良い。すなわち、両斜材３０、３０の下端部をそれぞれ外縦柱２、２に連結した後で、両斜材３０、３０の下端部に第１水平材１０の両端部の係止具を係止することにより、第１水平材を両外縦柱２、２間の所定高さ位置に架け渡すものとしても良い。
【００４４】
また本発明では、斜材３０の下端部の係止具３１の係止爪部３５が係止される被係止凹部や、第１水平材１０の端部の係止具１１の係止爪部１２が係止される被係止凹部は、上記実施形態に示した箇所の被係止凹部であることに限定されるものではなく、斜材３０の構成やその係止具３１の構成、及び、第１水平材１０の構成やその係止具１１の構成などに応じて様々に変更可能である。
【００４５】
また本発明では、仮設足場１は内縦柱３を必ずしも備えていなくても良い。
【産業上の利用可能性】
【００４６】
本発明は、建物の建築工事現場や改修工事現場などにおいて仮設足場を組み立てる際に用いられる軒上工法に利用可能である。
【符号の説明】
【００４７】
１：仮設足場
２：外縦柱（縦柱）
４：被係止具
４ａ、４ｂ：被係止凹部
１０：第１水平材
２０：第２水平材
３０：斜材
５０：建物
５１：軒
【図１】
2011099234.tif 000003
【図２】
2011099234.tif 000004
【図３Ａ】
2011099234.tif 000005
【図３Ｂ】
2011099234.tif 000006
【図４Ａ】
2011099234.tif 000007
【図４Ｂ】
2011099234.tif 000008
【図５】
2011099234.tif 000009
【図６】
2011099234.tif 000010
【図７】
2011099234.tif 000011
【図８】
2011099234.tif 000012